(57)【要約】      （修正有）【課題】手押し走行のみならず、電動アシスト走行が可能であり、電動アシスト走行時において、運搬車の走行を手押し補助しながら前進走行と後進走行の切り替えを手動操作で極めて簡単に行うことができる電動式手押し運搬車を提供する。【解決手段】電動式手押し運搬車１００は、複数の車輪１１を走行可能に支持する本体フレーム１０と、本体フレーム上に固定された荷台２０と、本体フレームの後端部に設けられたハンドルフレーム３０と、車輪を駆動するための電動機４０と、電動機を駆動制御するコントローラと、コントローラを介して電動機に電力を供給するための充電池と、ハンドルフレームの上部に設けられ、コントローラを介して電動機を駆動操作するための操作部７０と、を備え、操作部には、前進もしくは後進を手動で傾倒操作可能なアクセルレバーが設けられている。【選択図】図１
0003200619.tif 000002
【実用新案登録請求の範囲】
【請求項１】
複数の車輪を走行可能に支持する本体フレームと、
前記本体フレーム上に固定された荷台と、
前記本体フレームの後端部に設けられたハンドルフレームと、
前記車輪を駆動するための電動機と、
前記電動機を駆動制御するコントローラと、
前記コントローラを介して前記電動機に電力を供給するための充電池と、
前記ハンドルフレームの上部に設けられ、前記コントローラを介して前記電動機を駆動操作するための操作部と、
を備え、
前記操作部には、前記コントローラと電気的に接続され、前進走行もしくは後進走行を手動で選択的に傾倒操作可能なアクセルレバーが設けられていることを特徴とする電動式手押し運搬車。
【請求項２】
前記アクセルレバーは、該アクセルレバーの誤操作を防止するためのガードフレームで囲繞さていることを特徴とする請求項１に記載の電動式手押し運搬車。
【請求項３】
前記操作部とコントローラとを結ぶ電源ケーブルは、前記ハンドルフレーム内を通過して該ハンドルフレームの基端部から導出され、前記電源ケーブルの導出端部には前記コントローラに接続するためのコネクタが設けられていることを特徴とする請求項１または請求項２に記載の電動式手押し運搬車。
【請求項４】
前記荷台は積載幅及び積載長を規制するための荷台枠を備え、少なくとも積載幅を規制するための荷台枠は進退調整可能に形成されていることを特徴とする請求項１から３のいずれか１項に記載の電動式手押し運搬車。
【請求項５】
前記ハンドルフレームの基端側部分は、前記荷台の後端部と固定されていることを特徴とする請求項１から４のいずれか１項に記載の電動式手押し運搬車。
【請求項６】
前記本体フレームの中央部には前記充電池を収納するための充電池ボックスが設けられ、該充電池ボックスの蓋体には前記荷台のフレーム兼用の持ち手部が固定され、該持ち手部の近傍の蓋体部分には凹部が形成されていることを特徴とする請求項１から５のいずれか１項に記載の電動式手押し運搬車。
【請求項７】
前記充電池ボックスは、使用中の充電池の他、予備充電池の収納スペースを有することを特徴とする請求項６に記載の電動式手押し運搬車。
【請求項８】
前記充電池ボックスには、前記充電池の充電口が形成されていることを特徴とする請求項６または請求項７に記載の電動式手押し運搬車。
【請求項９】
前記電動機は差動装置を介して前輪または後輪と接続され、前記差動装置にはギアを係脱するためのクラッチ機構が備えられていることを特徴とする請求項１から８のいずれか１項に記載の電動式手押し運搬車。
【請求項１０】
前記充電池と前記電動機とを結ぶ電源供給回路には、前記電動機への電源供給を遮断してモータブレーキを掛けるためのスイッチが介設されていることを特徴とする請求項１から９のいずれか１項に記載の電動式手押し運搬車。
【請求項１１】
前記充電池と前記電動機とを結ぶ電源供給回路には、前記電動機に過電流が流れるのを防止するためのブレーカが介設されていることを特徴とする請求項１から１０のいずれか１項に記載の電動式手押し運搬車。
【考案の詳細な説明】
【技術分野】
【０００１】
本考案は、工事現場、建築現場、農場などにおいて資材や荷物などの積荷物を載せて運搬する手押し運搬車に係り、特に電動アシスト可能な電動式手押し運搬車に関する。
【背景技術】
【０００２】
従来、複数個の車輪を備えた車体フレームの上に荷台を置き、この荷台から後斜めへ操作ハンドルを延ばし、前後輪の一方が左右２輪であって、この左右２輪を電動モータで軸直結駆動系を介して直接的に駆動し、他方が車体中央に配置した１輪であり、前後輪間にバッテリを配置した電動三輪運搬車が提案されている（特許文献１参照）。
【０００３】
上記のような電動三輪運搬車は、特に右折もしくは左折の操舵の際に不安定となり、それを支えようとして操作ハンドルを握る手に負担が掛かるため、四輪以上の車輪を備えた台車仕様の電動式運搬車が種々提案されている。
【０００４】
台車仕様の電動式運搬車としては、例えば、手押し枠体と４つの非駆動輪と荷台面と１つの駆動輪を有し、手押し枠体を前方に押せば台車の前進を電動アシストし、引けば後退を電動アシストし、押しも引きもしない時は停止する機構を有しながら、操作は通常の手動Ｌ型台車相当とするため駆動輪を非駆動の２つの後輪又は前輪間近傍に配置した電動アシスト手押し台車が提案されている（特許文献２参照）。
【先行技術文献】
【特許文献】
【０００５】
【特許文献１】特開平１１−２０７０４号公報
【特許文献２】特開２００６−２９０３１９号公報
【考案の概要】
【考案が解決しようとする課題】
【０００６】
従来の電動式運搬車においても、手押し走行のみならず、電動アシスト走行は可能である。しかしながら、電動アシスト走行時に前進走行と後進走行を切り替える際には、電動アシスト走行を一時停止しなければならないなど、走行操作性に劣る運搬車も存在する。また、電動アシスト走行時において、運搬車のハンドル部を両手で握って走行を補助しながら前進走行と後進走行の切り替え操作を手動で行うことが困難であった。
【０００７】
そこで、本考案の目的は、上記の事情に鑑みて、手押し走行のみならず、電動アシスト走行が可能であり、当該電動アシスト走行時において、運搬車の走行を手押し補助しながら前進走行と後進走行の切り替えを手動操作で極めて容易に行うことができる電動式手押し運搬車を提供することにある。
【課題を解決するための手段】
【０００８】
上記目的を達成するために、本考案に係る電動式手押し運搬車は、複数の車輪を走行可能に支持する本体フレームと、前記本体フレーム上に固定された荷台と、前記本体フレームの後端部に設けられたハンドルフレームと、前記車輪を駆動するための電動機と、前記電動機を駆動制御するコントローラと、前記コントローラを介して前記電動機に電力を供給するための充電池と、前記ハンドルフレームの上部に設けられ、前記コントローラを介して前記電動機を駆動操作するための操作部と、を備え、前記操作部には、前記コントローラと電気的に接続され、前進走行もしくは後進走行を手動で選択的に傾倒操作可能なアクセルレバーが設けられていることを特徴とする。
【０００９】
前記電動式手押し運搬車の構成において、前記アクセルレバーは、該アクセルレバーの誤操作を防止するためのガードフレームで囲繞さていることが好ましい。
【００１０】
また、前記操作部とコントローラとを結ぶ電源ケーブルは、前記ハンドルフレーム内を通過して該ハンドルフレームの基端部から導出され、前記電源ケーブルの導出端部には前記コントローラに接続するためのコネクタが設けられていることが好ましい。
【００１１】
さらに、前記荷台は積載幅及び積載長を規制するための荷台枠を備え、少なくとも積載幅を規制するための荷台枠は進退調整可能に形成されていることが好ましい。
【００１２】
そして、前記ハンドルフレームの基端側部分は、前記荷台の後端部と一体的に固定されていることが好ましい。
【００１３】
前記本体フレームの中央部には前記充電池を収納するための充電池ボックスが設けられ、該充電池ボックスの蓋体には前記荷台のフレーム兼用の持ち手部が固定され、該持ち手部の周辺の蓋体部分には凹部が形成されていることが好ましい。
【００１４】
また、前記充電池ボックスは、使用中の充電池の他、予備充電池の収納スペースを有することが好ましい。
【００１５】
さらに、前記充電池ボックスには、前記充電池の充電口が形成されていることが好ましい。
【００１６】
また、前記電動機は差動装置を介して前輪または後輪と接続され、前記差動装置にはギアを係脱するためのクラッチ機構が備えられていることが好ましい。
【００１７】
さらに、前記充電池と前記電動機とを結ぶ電源供給回路には、前記電動機への電源供給を遮断してモータブレーキを掛けるためのスイッチが介設されていることが好ましい。
【００１８】
前記充電池と前記電動機とを結ぶ電源供給回路には、前記電動機に過電流が流れるのを防止するためのブレーカが介設されていることが好ましい。
【考案の効果】
【００１９】
本考案に係る電動式手押し運搬車によれば、手押し走行のみならず、電動アシスト走行が可能であり、当該電動アシスト走行時において、運搬車の走行を手押し補助しながら前進走行と後進走行の切り替えを手動操作で極めて容易に行うことができるという優れた効果を発揮する。
【図面の簡単な説明】
【００２０】
【図１】本考案の一実施形態に係る電動式手押し運搬車の外観を示す斜視図である。
【図２】本実施形態の荷台枠の積載幅の調整の説明に供する図である。
【図３】本実施形態の電源供給回路及び駆動系のブロック図である。
【図４】本実施形態のクラッチレバーの操作の説明に供する図である。
【図５】本実施形態の充電池ボックス及びバッテリケースを示す部分斜視図である。
【図６】本実施形態の操作部の説明に供する部分正面図である。
【図７】本実施形態の操作部の説明に供する部分平面図である。
【図８】本実施形態の電源ケーブルの接続の説明に供する部分斜視図である。
【考案を実施するための形態】
【００２１】
以下、図面を参照して、本考案の実施形態に係る電動式手押し運搬車について説明する。ただし、図面において、同一又は類似の部材や部分には同一又は類似の符号を付している。また、図面は模式的に図示しており、実際の寸法や比率等とは必ずしも一致しない。さらに、図面相互間において、互いの寸法の関係や比率が異なる部分が含まれることがある。
【００２２】
まず、図１から図８を参照して、本考案の一実施形態に係る電動式手押し運搬車の構成について説明する。図１は本考案の一実施形態に係る電動式手押し運搬車の外観を示す斜視図である。
【００２３】
図１から図８に示すように、本実施形態に係る電動式手押し運搬車１００は、本体フレーム１０、荷台２０、ハンドルフレーム３０、電動機４０、コントローラ５０、充電池６０、及び操作部７０を主に備える。以下、各構成要素について説明する。
【００２４】
図１に示すように、本体フレーム１０は、複数の車輪１１，１２を走行可能に支持する。本実施形態の本体フレーム１０は、前後各２輪で合計４輪の車輪１１Ｒ，１１Ｌ、１２Ｒ，１２Ｌを備えるが、車輪の数は例示の４輪に限定されない。本実施形態の前輪１１Ｒ，１１Ｌは空気式タイヤによって構成され、後輪１２Ｒ，１２Ｌはノーパンクタイヤ（中実タイヤ）によって構成されている。前輪１１Ｒ，１１Ｌに空気式タイヤを採用することにより、走行時の騒音を防止すると共に、積荷物への衝撃を緩和することができる。
【００２５】
本実施形態では、前輪１１Ｒ，１１Ｌが電動機４０で駆動される前輪駆動方式を採用しているが、これに限定されず、後輪駆動方式を採用しても構わない。即ち、本実施形態では、前輪１１Ｒ，１１Ｌが駆動輪、後輪１２Ｒ，１２Ｌが操舵輪として構成されている。前輪１１Ｒ，１１Ｌには、後輪１２Ｒ，１２Ｌよりも大径のタイヤが採用されている。後輪１２Ｒ，１２Ｌは、本体フレーム１０に支持された垂下軸（図示せず）の軸回りに回動可能に構成されている。
【００２６】
後輪１２Ｒ，１２Ｌの少なくとも一方（本実施形態では左後輪１２Ｌ）には、当該電動式手押し運搬車１００の移動を阻止するためのストッパ１３が設けられている。また、後輪１２Ｒ，１２Ｌのホイール１４には、当該後輪１２Ｒ，１２Ｌの軸受け部（図示せず）にグリスを注入するためのグリス注入口（図示せず）が設けられている。
【００２７】
荷台２０は積荷物を載せるための部材であり、本体フレーム１０上にボルトや溶接等により固定されている。本実施形態の荷台２０は、パイプ製の荷台により構成される。パイプ製の荷台２０は、例えば、低炭素鋼等の金属製パイプによって格子状に形成されている。本実施形態の荷台２０はパイプ製荷台で構成されているので、当該荷台２０に剛性をもたせて積載重量を増大させることができ、また荷台自体の軽量化を図ることができる。
【００２８】
図２は本実施形態の荷台枠の積載幅の調整の説明に供する図である。図１及び図２（ａ）に示すように、荷台２０は積載幅及び積載長を規制するための荷台枠２１Ｒ，２１Ｌ，２１Ｆを備える。少なくとも、積載幅を規制するための荷台枠（横荷台枠）２１Ｒ，２１Ｌは、進退調整可能に形成されている。図２に示すように、横荷台枠２１Ｒ，２１Ｌは、両端部２２，２３側がＬ字状に屈曲形成された門型状の金属製パイプ部材である。横荷台枠２１Ｒ，２１Ｌの端部２２，２３は、荷台２０の前後に配設された横パイプ２４，２５の両端開口部内にそれぞれ挿入される。図２（ａ）（ｂ）に示すように、横荷台枠２１Ｒ，２１Ｌの端部２２，２３の挿入量の調整により積載幅を拡縮し、横パイプ２４，２５の雌ねじ貫通孔に備えられた樹脂ノブボルト２６を螺合して、当該端部２２，２３を固定するようになっている。積載長を規制するための荷台枠２１Ｆは、荷台２０の前端部に差し込み装着される。
【００２９】
再び図１を参照して、ハンドルフレーム３０は、本体フレーム１０の後端部の両側から立ち上がった門型状のフレーム部材である。ハンドルフレーム３０は、荷台２０に対してＬ字状に立ち上がっている。このハンドルフレーム３０は、使用者が両手で握って当該電動式手押し運搬車１００の走行を補助するための部材であり、例えば、低炭素鋼等の金属製パイプによって形成されている。ハンドルフレーム３０を両手で握って右手と左手を押し引き操作することによって、後輪１２Ｒ，１２Ｌを操舵することができる。ハンドルフレーム３０の下側部分には、補強バー３２が溶接等により固定されている。ハンドルフレーム３０の基端側部分は、荷台（パイプ製荷台）２０の後端部とボルトや溶接等により一体的に固定されている。ハンドルフレーム３０と荷台（パイプ荷台）２０の基端側部分とを一体的に固定して補強することにより、ハンドルフレーム３０の基端部に過負荷が掛かって当該ハンドルフレーム３０が変形したり、破損するのを防止することができる。
【００３０】
図３は本実施形態の電源供給回路及び駆動系のブロック図である。図４は本実施形態のクラッチレバーの操作の説明に供する図である。図１及び図３に示すように、電動機４０としては、例えば、デファレンシャルモータ、即ち、デファレンシャルギア（差動装置）４１付きのモータが採用される。電動機４０は、差動装置４１を介して前輪１１Ｒ，１１Ｌまたは後輪１２Ｒ，１２１Ｌと接続される。上述したように、本実施形態では前輪駆動方式を採用しているので、電動機４０の駆動力は差動装置４１を介して前輪１１Ｒ，１１Ｌに伝達される。差動装置４１にはギアを係脱するためのクラッチ機構４２が備えられている。クラッチ機構４２のギアの係脱は、図４に示すように、クラッチレバー４３の押し引きにより行う。具体的には、クラッチレバー４３を押し入れるとクラッチ機構４２が接合されてギアと係動し、クラッチレバー４３を引くとクラッチ機構がギアと離脱してニュートラル状態になる。
【００３１】
再び図３を参照して、コントローラ５０は、電動機４０を駆動制御する装置である。コントローラ５０は、本体フレーム１０の中央部に設けられた後述の充電池ボックス６１に隣接して設けられている（図５参照）。コントローラ５０は、後述する操作部７０と電気的に接続される。
【００３２】
図５は本実施形態の充電池ボックス及びバッテリケースを示す部分斜視図である。図３及び図５に示すように、充電池６０は、コントローラ５０を介して電動機４０に電力を供給する。充電池６０は、例えば、電解溶液鉛蓄電池やリチウムイオン電池等の二次電池により構成され、バッテリケース６１内に収納されている。本体フレーム１０の中央部には、バッテリケース６１を収納するための充電池ボックス６２が設けられている。充電池ボックス６２は、使用中の充電池６０を内包するバッテリケース６１の他、予備充電池を内包するバッテリケースの収納スペース６３を有する。
【００３３】
図１及び図５に示すように、充電池ボックス６２の上部は、蓋体６３によって開閉可能に覆われている。この蓋体６３には、荷台２０のパイプフレーム兼用の持ち手部６５が固定されている。当該蓋体６３の持ち手部６５の周辺の蓋体部分には、持ち手部６５を握るときに指先を挿入可能な凹部６６が形成されており、この持ち手部６５を把持しやすいように工夫されている。
【００３４】
充電池ボックス６２の側面には、充電池６０の充電口（図示せず）が形成されている。当該充電口に不図示の充電器（ＡＣ／ＤＣアダプター）のコネクタを接続することにより、充電池ボックス６２内に充電池６０を内包するバッテリケース６１を収納したままで、充電池６０を充電することが可能に構成されている。
【００３５】
図３に示すように、充電池６０と電動機４０とを結ぶ電源供給回路５１には、電動機４０への電源供給を遮断してモータブレーキを掛けるためのスイッチ５２が介設されている。また、充電池６０と電動機６０とを結ぶ電源供給回路５１には、電動機４０に過電流が流れるのを防止するためのブレーカ５３が介設されている。
【００３６】
図６は本実施形態の操作部の説明に供する部分正面図である。図７は本実施形態の操作部の説明に供する部分平面図である。図１、図３、図６及び図７に示すように、操作部７０は、コントローラ５０を介して電動機４０を駆動操作する部位であり、ハンドルフレーム３０の上部中央部に設けられている。ハンドルフレーム３０の上部近傍には、操作部７０の下部を支持するための補助フレーム３３が設けられている。操作部７０は、操作パネル７１及び電源投入するための電源キー（図示せず）を備えている。操作パネル７１は、電源ランプ７２、速度調節つまみ７３、及び電池残量表示計７４を有する。電源キーは、操作パネル７１の一側部に設けられている。
【００３７】
操作パネル７１の下部には、コントローラ５０と電気的に接続され、前進走行もしくは後進走行を手動で傾倒操作可能なアクセルレバー８０が設けられている。アクセルレバー８０は、中央部を支点として左右に傾倒操作可能な平面視略Ｖ字形状のブレード部材である。このアクセルレバー８０は、手指で右側レバー８１Ｒを押し込むことにより前進走行し、他方、手指で左側レバー８１Ｌを押し込むことにより後進走行するように構成されている。右側レバー８１Ｒと左側レバー８１Ｌは選択的に切り替え操作可能となっており、右側レバー８１Ｒを押せば左側レバー８１Ｌは突き出し、他方、左側レバー８１Ｌを押せば右側レバー８１Ｒが突き出すように構成されている。右側レバー８１Ｒもしくは左側レバー８１Ｌを操作しない時には、モータブレーキが作動して走行を停止するようになっている。
【００３８】
アクセルレバー８０は、例えば、コ字状のガードフレーム８２によって囲繞されており、当該アクセルレバー８０の誤操作を防止するようになっている。ガードフレーム８２は、補助フレーム３２から後方へ突き出すように設けられている。
【００３９】
図８は本実施形態の電源ケーブルの接続の説明に供する部分斜視図である。図３及び図８に示すように、操作部７０とコントローラ５０とを結ぶ電源ケーブル７５は、金属パイプ製のハンドルフレーム３０内を通過して当該ハンドルフレーム３０の基端部から導出される。電源ケーブル７５の導出端部には、コントローラ５０側のコネクタ５６に接続するためのコネクタ７６が設けられている。
【００４０】
次に、図１から図８を参照して、本実施形態に係る電動式手押し運搬車１００の動作について説明する。図１に示すように、本実施形態に係る電動式手押し運搬車１００は、前輪１１Ｒ，１１Ｌを駆動するための電動機４０を備えているので、手押し走行のみならず、電動アシスト走行が可能である。
【００４１】
電動アシスト走行に際して、図８に示すように、ハンドルフレーム３０の基端部から導出された電源ケーブル７５のコネクタ７６をコントローラ５０のコネクタ５６に接続する。次に、図４（ａ）に示すように、電動機４０の差動装置４１のクラッチレバー４３を押し入れて、クラッチ機構４２を接続する。そして、図６及び図７に示すように、操作部７０の不図示の電動キーを回して、電源を投入する。電源を投入すると、電源ランプ７２が点灯する。電動アシスト走行前に、電池残量表示計７４により電池残量を確認する。また、速度調整つまみ７３を回して、所望の速度に調整する。
【００４２】
電動アシスト走行する際は、図１、図６及び図７に示すように、ハンドルフレーム３０のハンドル部３１を両手で握り、アクセルレバー８０を、例えば、左右の親指で操作する。アクセルレバー８０の右側レバー８１Ｒを右手親指で押し込むと前進走行し、他方、アクセルレバー８０の左側レバー８１Ｌを左手親指で押し込むと後進走行する。アクセルレバー８０を押し込む量に応じて走行速度が速くなる。他方、アクセルレバー８０から手指を離すと、モータブレーキが作動して走行を停止する。
【００４３】
坂道で停車するときには、後輪１２Ｌのストッパ１３を掛ける。電動アシスト走行をしないときには、電源キーを切り、図４（ｂ）に示すように、クラッチレバー４３を引いて差動装置４１のクラッチ機構４２を切ってニュートラル状態にする。さらに、モータブレーキのスイッチ５３をオフにする。これらの操作により、電動アシストを使用しない手押し走行が可能となる。
【００４４】
手押し電動運搬車１００から離れるときや、使用を終了するときは、図１、図３及び図４（ａ）に示すように、クラッチレバー４３を押し入れ、モータブレーキのスイッチ５２をオンにして、左後輪１２Ｌのストッパ１３を掛ける。
【００４５】
以上説明したように、本実施形態に係る電動式手押し運搬車１００によれば、図１、図６及び図７に示すように、操作部７０が走行時に手押し補助するためのハンドルフレーム３０の上部（ハンドル部３１）の中央部に設けられている。操作部７０の下部には、前進走行もしくは後進走行を手動で選択的に傾倒操作可能なアクセルレバー８０が設けられている。したがって、電動アシスト走行時において、ハンドル部３１を両手で握って当該電動式手押し運搬車１００の走行を補助しながら前進走行と後進走行の切り替えを手動操作で極めて容易に行うことができる。
【００４６】
また、アクセルレバー８０は、当該アクセルレバー８０の誤操作を防止するためのガードフレーム８２で囲繞さている。したがって、ハンドル部３１に寄り掛かるなどしても、ガードフレーム８２が後方へ突出しているので、アクセルレバー８０が誤操作されることはない。
【００４７】
図８に示すように、操作部７０とコントローラ５０とを結ぶ電源ケーブル７５は、金属パイプ製のハンドルフレーム３０内を通過して当該ハンドルフレーム３０の基端部から導出されるので、電源ケーブル７５の取り回しが目立つことがなく、電動式手押し運搬車１００の美観性を向上させることができる。
【００４８】
図２に示すように、荷台２０の少なくとも横荷台枠２１Ｒ，２１Ｌは進退調整可能に形成されているので、横荷台枠２１Ｒ，２１Ｌを拡縮可能な範囲において積載幅を適宜調整することができる。さらに、ハンドルフレーム３０の基端側部分は、荷台２０の後端部と一体固定されているので、ハンドルフレーム３０の基端側が補強される。したがって、ハンドルフレーム３０の基端部に過負荷が掛かることによって、当該ハンドルフレーム３０が変形したり、破損するのを防止することができる。
【００４９】
図５に示すように、充電池ボックス６２には、バッテリケース６１に内包された使用中の充電池の他、バッテリケース６１に内包された予備充電池の収納スペース６３を有する。予備充電池を収納できるので、電池切れに備えることができる。また、収納スペース６３は、工具等の備品も収納可能である。また、充電池ボックス６２には、充電池６０の充電口が形成されているので、当該充電口に充電器（図示せず）のコネクタを接続して通電すれば、充電池ボックス６２に充電池６０を搭載したままで、充電池６０を充電することができる。さらに、図１及び図５に示すように、充電池ボックス６２の蓋体６４には荷台２０のパイプフレーム兼用の持ち手部６５が固定され、この持ち手部６５の周辺の蓋体部分には指先を挿入可能な凹部６６が形成されているので、当該持ち手部６５を把持して蓋体６４を容易に開閉することができる。
【００５０】
また、図３に示すように、電動機４０の駆動力を前輪１１Ｒ，１１Ｌに伝達するための差動装置４１には、ギアを係脱するためのクラッチ機構４２が備えられているので、クラッチ機構４２の接続を切ってニュートラルにすることができる。このニュートラル状態に設定すれば、電動アシストを使用せずに手押し走行を行うことができる。
【００５１】
さらに、充電池６０と電動機４０とを結ぶ電源供給回路５１には、電動機４０への電源供給を遮断してモータブレーキを掛けるためのスイッチ５２が介設されている。このスイッチ５２をオンにすれば、当該手押し電動運搬車１００の電動機４０の駆動を緊急停止することができる。そして、電源供給回路５１にはブレーカ５３が介設されているので、当該ブレーカ５３が電力供給を遮断して電動機４０に過電流が流れるのを防止することができる。
【００５２】
〔他の実施形態〕
以上、本考案の好適な実施形態を説明したが、これらは本考案の説明のための例示であり、本考案の範囲をこれらの実施形態にのみ限定する趣旨ではない。本考案は、その要旨を逸脱しない範囲で、上記実施形態とは異なる種々の態様で実施することができる。
【００５３】
上記の実施形態では、荷台２０として格子状のパイプ製荷台を採用している。これに限定されず、荷台２０として箱体状荷台を採用することにより、宅配便の運搬車としても使用することが可能となる。また、荷台２０を受け皿状の金属成形体で構成すれば、土砂の運搬にも使用することができる。さらに、荷台２０を板状荷台で構成すれば、紙類の運搬にも使用することができる。このように荷台２０の形式を変更することにより、電動式手押し運搬車１００を様々な用途に適用することが可能となる。
【符号の説明】
【００５４】
１０    本体フレーム、
１１、１２    車輪、
２０    荷台、
３０    ハンドルフレーム、
４０    電動機、
４１    差動装置、
４２    クラッチ機構、
５０    コントローラ、
５１    電源供給回路、
５２    スイッチ、
５３    ブレーカ、
５６、７６    コネクタ、
６０    充電池、
６２    充電池ボックス、
６４    蓋体、
６５    持ち手部、
６６    凹部、
６３    収納スペース、
７０    操作部、
７５    電源ケーブル、
８０    アクセルレバー、
８２    ガードフレーム、
１００    電動式手押し運搬車。
【図１】
0003200619.tif 000003
【図２】
0003200619.tif 000004
【図３】
0003200619.tif 000005
【図４】
0003200619.tif 000006
【図５】
0003200619.tif 000007
【図６】
0003200619.tif 000008
【図７】
0003200619.tif 000009
【図８】
0003200619.tif 000010